(57)【要約】【課題】  従事者の経験や能力などに係わらず、患者に対して十分な説明を行えるように支援する技術を提供する。【解決手段】  病院内情報管理サーバ１０５は、サブシステムサーバ１０２を介して端末装置１０４からガイダンス情報が要求されると、要求されたガイダンス情報をその端末装置１０４に送信する。そのガイダンス情報は、実施する医療行為を適切に実施し、患者に対して行うべき説明を適切に行うための情報である。そのようなガイダンス情報を端末装置１０４に送信することにより、その端末装置１０４を使用する従事者が患者への説明を含む医療行為を適切に行えるように支援する。【選択図】      図１
2005173737.tif 000002
【特許請求の範囲】
【請求項１】
治療中の患者に対する医療行為の実施を支援するための情報を管理するシステムであって、
前記医療行為を行う従事者が使用する端末装置から通信ネットワークを介して送信される、該医療行為の実施に係わるガイダンス情報の提供要求を受け付ける要求受付手段と、
前記提供要求受付手段が前記提供要求を受け付けたガイダンス情報を前記端末装置に前記通信ネットワークを介して送信することで提供する情報提供手段と、
を具備することを特徴とする医療情報管理システム。
【請求項２】
前記ガイダンス情報は、前記医療行為を実施する患者に対して行うべき説明のための情報を必要に応じて含む、
ことを特徴とする請求項１記載の医療情報管理システム。
【請求項３】
前記医療行為を実施する患者に対して行うべき説明を行った旨の通知を、前記端末装置から前記通信ネットワークを介して受け付ける通知受付手段と、
前記通知受付手段が受け付けた通知により、前記患者に対して行うべき説明を行ったことを情報として記録する記録手段と、
を更に具備することを特徴とする請求項２記載の医療情報管理システム。
【請求項４】
前記通知受付手段は、前記医療行為を患者に対して実施した旨の通知を受け付けることができ、
前記記録手段は、前記通知受付手段が受け付けた通知により、前記患者に対して医療行為を実施したことを情報として記録できる、
ことを特徴とする請求項３記載の医療情報管理システム。
【請求項５】
治療中の患者に対する医療行為の実施を支援するための情報を管理する医療情報管理システムと通信ネットワークを介して接続可能な端末装置において、
前記患者に対して実施する医療行為を選択するための医療行為選択手段と、
前記通信ネットワークを介して前記医療情報管理システムに対し、前記医療行為選択手段により選択された医療行為の実施に係わるガイダンス情報の提供要求を行う要求手段と、
前記要求手段による提供要求により前記医療情報管理システムから前記通信ネットワークを介して送信されるガイダンス情報を受信する受信手段と、
前記受信手段が受信したガイダンス情報を提示する情報提示手段と、
を具備することを特徴とする端末装置。
【請求項６】
前記医療行為を実施する患者に対して行うべき説明を行った旨を前記医療情報管理システムに通知する通知手段、
を更に具備することを特徴とする請求項５記載の端末装置。
【請求項７】
前記通知手段は、前記医療行為を患者に対して実施した旨を前記医療情報管理システムに通知できる、
ことを特徴とする請求項６記載の端末装置。
【請求項８】
治療中の患者に対する医療行為の実施を支援するための情報を管理するシステムの構築に用いられるデータ処理装置に実行させるプログラムであって、
前記医療行為を行う従事者が使用する端末装置から通信ネットワークを介して送信される、該医療行為の実施に係わるガイダンス情報の提供要求を受け付ける機能と、
前記受け付ける機能により前記提供要求を受け付けたガイダンス情報を前記端末装置に前記通信ネットワークを介して送信することで提供する機能と、
を実現させるためのプログラム。
【請求項９】
治療中の患者に対する医療行為の実施を支援するための情報を管理する医療情報管理システムと通信ネットワークを介して接続可能な端末装置に実行させるプログラムであって、
前記患者に対して実施する医療行為を選択するための機能と、
前記通信ネットワークを介して前記医療情報管理システムに対し、前記選択するための機能により選択された医療行為の実施に係わるガイダンス情報の提供要求を行う機能と、
前記提供要求を行う機能による提供要求により前記医療情報管理システムから前記通信ネットワークを介して送信されるガイダンス情報を受信する機能と、
前記受信する機能により受信したガイダンス情報を提示する機能と、
を実現させるためのプログラム。
【発明の詳細な説明】
【技術分野】
【０００１】
本発明は、病院や診療所等の医療施設において患者に対する医療行為を適切に行えるように支援するための技術に関する。
【背景技術】
【０００２】
近年、医療の分野では、患者に対して、どのような医療行為をどのような理由で行うのかといったことを十分に説明し、医療行為を行うことの同意を得るインフォームド・コンセントが重要視されている。それを行うことにより、患者は医療サービスを快適に受けられるようになることから、医療サービスの質を向上させることができる。
【０００３】
患者に対して医療行為を行う従事者の経験や能力などは従事者毎に異なる。それにより、従事者によっては、患者に十分な説明を行うことができない。そのような従事者には経験が豊富な従事者がサポートすべきであるが、常にサポートできるとは限らないのが実情である。このようなことから、医療サービスの質を常に高く維持するうえにおいて、従事者の経験や能力などに係わらず、患者に十分な説明を行えるようにすることは非常に重要であると考えられる。
【特許文献１】特開２００１−３１２５６６号公報
【発明の開示】
【発明が解決しようとする課題】
【０００４】
本発明は、従事者の経験や能力などに係わらず、患者に対して十分な説明を行えるように支援する技術を提供することを目的とする。
【課題を解決するための手段】
【０００５】
本発明の第１の態様の医療情報管理システムは、治療中の患者に対する医療行為の実施を支援するための情報を管理するシステムであって、医療行為を行う従事者が使用する端末装置から通信ネットワークを介して送信される、該医療行為の実施に係わるガイダンス情報の提供要求を受け付ける要求受付手段と、提供要求受付手段が提供要求を受け付けたガイダンス情報を端末装置に通信ネットワークを介して送信することで提供する情報提供手段と、を具備する。
【０００６】
なお、上記ガイダンス情報は、医療行為を実施する患者に対して行うべき説明のための情報を必要に応じて含む、ことが望ましい。
第２の態様の医療情報管理システムは、上記第１の態様における構成に加えて、医療行為を実施する患者に対して行うべき説明を行った旨の通知を、端末装置から通信ネットワークを介して受け付ける通知受付手段と、通知受付手段が受け付けた通知により、患者に対して行うべき説明を行ったことを情報として記録する記録手段と、を更に具備する。
【０００７】
なお、上記通知受付手段は、医療行為を患者に対して実施した旨の通知を受け付けることができ、記録手段は、通知受付手段が受け付けた通知により、患者に対して医療行為を実施したことを情報として記録できる、ことが望ましい。
本発明の第１の態様の端末装置は、治療中の患者に対する医療行為の実施を支援するための情報を管理する医療情報管理システムと通信ネットワークを介して接続可能なことを前提とし、患者に対して実施する医療行為を選択するための医療行為選択手段と、通信ネットワークを介して医療情報管理システムに対し、医療行為選択手段により選択された医療行為の実施に係わるガイダンス情報の提供要求を行う要求手段と、要求手段による提供要求により医療情報管理システムから通信ネットワークを介して送信されるガイダンス情報を受信する受信手段と、受信手段が受信したガイダンス情報を提示する情報提示手段と、を具備する。
【０００８】
本発明の第２の態様の端末装置は、上記第１の態様における構成に加えて、医療行為を実施する患者に対して行うべき説明を行った旨を医療情報管理システムに通知する通知手段、を更に具備する。
なお、上記通知手段は、医療行為を患者に対して実施した旨を医療情報管理システムに通知できる、ことが望ましい。
【０００９】
本発明の第１の態様のプログラムは、治療中の患者に対する医療行為の実施を支援するための情報を管理するシステムの構築に用いられるデータ処理装置に実行させるプログラムであって、医療行為を行う従事者が使用する端末装置から通信ネットワークを介して送信される、該医療行為の実施に係わるガイダンス情報の提供要求を受け付ける機能と、受け付ける機能により提供要求を受け付けたガイダンス情報を端末装置に通信ネットワークを介して送信することで提供する機能と、を実現させる。
【００１０】
本発明の第２の態様のプログラムは、治療中の患者に対する医療行為の実施を支援するための情報を管理する医療情報管理システムと通信ネットワークを介して接続可能な端末装置に実行させるプログラムであって、患者に対して実施する医療行為を選択するための機能と、通信ネットワークを介して医療情報管理システムに対し、選択するための機能により選択された医療行為の実施に係わるガイダンス情報の提供要求を行う機能と、提供要求を行う機能による提供要求により医療情報管理システムから通信ネットワークを介して送信されるガイダンス情報を受信する機能と、受信する機能により受信したガイダンス情報を提示する機能と、を実現させる。
【発明の効果】
【００１１】
本発明は、医療行為の実施に係わるガイダンス情報の提供要求を端末装置から受け付けた場合に、そのガイダンス情報をその端末装置に送信して提供する。それにより、端末装置を使用する医療従事者は、自身の経験や能力などに係わらず、提供されたガイダンス情報により、患者への十分な説明や医療行為の適切な実施を常に確実に行えるようになる。このため、医療サービスの質を常に高く維持することができる。
【発明を実施するための最良の形態】
【００１２】
以下、本発明の実施の形態について、図面を参照しながら詳細に説明する。
図１は、本実施の形態による医療情報管理システムを有する病院情報システムの構成を示す図である。その情報システムは、例えば病院などの医療施設でチーム医療を行うために構築されたものであり、チーム医療の従事者（医師や看護婦、看護師、など）はその情報システムによって情報を共有化している。
【００１３】
図１に示すように、情報システムは、通信ネットワーク１０１に対し、サブシステムサーバ１０２、無線で通信を行うための複数のアクセスポイント（ＡＰ）１０３、及び医療従事者が使用する端末装置１０４を接続し、サブシステムサーバ１０２に、各種情報の管理や生成を行う病院内情報管理サーバ（以降「管理サーバ」と略記）１０５を接続した構成となっている。患者に接する従事者は、通信ネットワーク１０１と直接、接続された端末装置１０４、或いはＡＰ１０３を介して通信ネットワーク１０１と接続される端末装置１０４を操作して管理サーバ１０５にアクセスすることにより、必要な情報の入手や各種情報の登録を行うようになっている。本実施の形態による医療情報管理システムは、管理サーバ１０５上で実現され、本実施の形態による端末装置は、端末装置１０４として実現されている。
【００１４】
上記通信ネットワーク１０１は、例えばＬＡＮである。従事者が使用する、無線通信が可能な端末装置１０４は、例えば患者の居る場所でも管理サーバ１０５にアクセスできるように、ＡＰ１０３と無線で通信を行える携帯性に優れたタブレット型のパーソナルコンピュータ（以下「パソコン」）、或いはＰＤＡとしている。ここでは説明上、便宜的に、特に断らない限り、端末装置１０４は無線で通信を行えるものを指す意味で用いることとする。
【００１５】
図２は、上記管理サーバ１０５の機能構成を示す図である。
その管理サーバ１０５は、図２に示すように、通信ネットワーク１０１を介して通信を行う通信部２０１と、各種データベース（ＤＢ）を管理する記憶部２０２と、サーバ１０５全体の制御を行う制御部２０３と、を備えた構成となっている。その制御部２０４は、例えば管理サーバ１０５に搭載のＣＰＵが、そのリソースを利用しつつ、ハードディスク装置等に格納されたプログラムを実行することで実現される。
【００１６】
記憶部２０２は、患者情報ＤＢ２１１、ガイダンス実施記録ＤＢ２１２、医療行為実施記録ＤＢ２１３、及びガイダンス情報管理ＤＢ２１４を管理する。それらは以下のようなものである。図３〜図６に示す各種説明図を参照しつつ具体的に説明する。
患者情報ＤＢ２１１は、患者の個人情報を管理するために用意したものである。図３に示すように、患者に対して識別用に割り当てられた患者ＩＤ、その氏名、性別、年齢、血液型、生年月日、入院か外来かの区分を示す入院／外来区分、患者の居る病棟、患者の居る病室、などのデータが患者毎に格納されている。
【００１７】
ガイダンス実施記録ＤＢ２１２は、医療行為を実施する患者に対して行った説明を記録するために用意したものである。図４に示すように、医療行為を実施すべき時刻、医療行為を実施すべき患者の患者ＩＤ、患者に対して実施すべき医療行為の名称、その名称の医療行為の実施のために従事者がガイダンス情報を参照したか否かを示すガイダンス情報表示、その説明を行う従事者を示すガイダンス実施者、それを行った日であるガイダンス実施日、それを行った時刻であるガイダンス実施時刻、などのデータが患者に対して実施される医療行為毎に格納されている。
【００１８】
患者に対する医療行為は、予め予定を立てて行うようにしている。患者に対して実施される医療行為毎に、行うべき説明の内容を定めている。このようなことから、医療行為を実施すべき時刻、患者ＩＤ、及び医療行為名は、医療行為を実施すべき時刻となる前の段階でガイダンス実施記録ＤＢ２１２にレコードを用意して格納される。ガイダンス情報表示は、予め定められた初期値が格納される。それにより、説明の実施に応じて、ガイダンス情報表示、ガイダンス実施者、ガイダンス実施日、及びガイダンス実施時刻を対応するレコードに格納することでその実施が行われたことを記録するようにしている。ガイダンス実施者は、端末装置１０４を管理サーバ１０５にアクセスする際に行う認証結果から特定し、ガイダンス実施日、及びガイダンス実施時刻はその端末装置１０４から送信されたものを格納するようにしている。これらは、医療行為実施記録ＤＢ２１３においても同様である。
【００１９】
ガイダンス情報表示として格納された０の値は、従事者がガイダンス情報を参照していないことを表している。その値として格納される１の値は、そのガイダンス情報を参照したことを表している。本実施の形態では、説明の実施の記録は、ガイダンス情報を参照した従事者のみを対象に行うようにしている。それにより、その記録の対象となるのは、ガイダンス情報表示として１が格納されたレコードのみとしている。
【００２０】
医療行為実施記録ＤＢ２１３は、患者に対して実施した医療行為を記録するために用意したものである。図５に示すように、医療行為を実施すべき時刻、医療行為を実施すべき患者の患者ＩＤ、及び患者に対して実施すべき医療行為の名称がガイダンス実施記録ＤＢ２１２と同様に格納されている。それ以外のデータとしては、その名称の医療行為の実施を記録したか否かを示す実施入力、医療行為を実施した従事者を示す実施者、それを行った日である実施日、それを行った時刻である実施時刻、などが格納される。実施入力として格納された０の値は、その記録が行われていないことを表し、１の値は、その記録が行われたことを表している。
【００２１】
ガイダンス情報管理ＤＢ２１４は、患者に対して医療行為を実施する従事者に提供するガイダンス情報を管理するために用意したものである。図６に示すように、医療行為名、その医療行為名の医療行為を実施する従事者に提供すべきガイダンス情報の保存先を示すガイダンス情報保存先、などのデータが格納される。
【００２２】
そのガイダンス情報は、医療行為によって内容は異なるが、医療行為を実施する際の手順や注意事項、患者に説明すべき内容といったものを少なくとも一つ有する、その医療行為を従事者が適切に実施するのを支援する情報である。
管理サーバ１０５は、端末装置１０４からの要求に応じて、ガイダンス情報をその端末装置１０４に送信することで提供する。このため、端末装置１０４のユーザである従事者は、そのガイダンス情報を参照することにより、経験や能力などに係わらず、行うべき説明を含めて医療行為を常に適切に行えるようになる。患者への十分な説明が適切に行えるために、同意が必要な医療行為であっても患者はそれを十分、理解したうえで同意してもらえるようになる。従事者の経験や能力に依存する割合が低下するために、より少ない人数であっても、医療サービスの質を常に高く維持できるようになる。
【００２３】
本実施の形態では、行うべき説明を行ったことや、実施すべき医療行為を実施したことを記録できるようにしている。それにより、それらが実際に行われたか否か確認できるようにさせている。このため、その確認を通して、医療サービスの質が維持されているか否か確認することができる。
【００２４】
図７は、従事者が医療行為を実施する場合に、端末装置１０４、サブシステムサーバ１０２、及び管理サーバ１０５がそれぞれ実行する処理の流れを示すフローチャートである。その医療行為の実施に係わる処理に着目して、その流れの例を示したものである。次に図７を参照して、その場合に端末装置１０４、サブシステムサーバ１０２、及び管理サーバ１０５がそれぞれ実行する処理について詳細に説明する。
【００２５】
図７に示す処理の実行は、サブシステムサーバ１０２、及び管理サーバ１０５では、例えば搭載されたＣＰＵが、ハードディスク装置等に格納されたプログラムを実行することで実現される。端末装置１０４においては、例えば搭載されたＣＰＵが、ハードディスク装置、或いはフラッシュメモリ等の半導体メモリに格納されたプログラムを実行することで実現される。
【００２６】
上述したように、患者に対する医療行為は、予め予定を立てて行うようにしている。その予定は、オーダ情報として管理サーバ１０５に登録させている。それにより、従事者は、端末装置１０４を管理サーバ１０５にアクセスしてオーダ情報をダウンロードし行うべき患者への医療行為を確認するようにさせている。
【００２７】
端末装置１０４は、端末装置１０４を管理サーバ１０５にアクセスさせて認証を行った後、オーダ情報を要求するための操作を従事者が行うと、その送信を管理サーバ１０５に要求することによりオーダ情報を取得し（ステップＳＴ１）、それを配置した図８に示すようなオーダ一覧表示画面８００を表示装置上に表示させる（ステップＳＴ２）。そのオーダ一覧表示画面８００に配置されたオーダの何れかをクリックすると、端末装置１０４はそのオーダに対応する図８に示すようなオーダ表示画面８１０を表示装置上に表示させる（ステップＳＴ３）。
【００２８】
オーダ表示画面８１０上には、図８に示すように、「説明の表示」「実施入力」「戻る」ボタンが配置されている。「説明の表示」ボタン８１１は、オーダに対応するガイダンス情報の表示を指示するためのものであり、「実施入力」ボタン８１２は、そのオーダが指示する医療行為を実施したことの記録を指示するためのものである。
【００２９】
本実施の形態では、このようにして、オーダの選択により対応のオーダ表示画面８１０を表示させるようにしている。それにより、必要なガイダンス情報の表示（取得）や、医療行為を実施したことの記録を従事者が容易に行えるようにしている。
オーダ表示画面８１０を表示させた端末装置１０４は、ステップＳＴ４に移行して、「説明の表示」ボタン８１１がクリック（選択）されたか否か判定する。そのボタン８１１を所持者がクリックしたような場合、判定はＹＥＳとなってステップＳＴ５に移行し、管理サーバ１０５にガイダンス情報の提供を要求するためのガイダンス情報取得要求を送信する。一方、そうでない場合には、判定はＮＯとなって後述するステップＳＴ１２に移行する。そのガイダンス情報取得要求では、必要なガイダンス情報を指定したり、ガイダンス実施記録ＤＢ２１２の更新を行うといったことのために、例えば医療行為名や患者ＩＤを併せて送信する。
【００３０】
端末装置１０４と管理サーバ１０５の間のデータの送受信は、サブシステムサーバ１０２を介して行われる。このことから、サブシステムサーバ１０２は、端末装置１０４からガイダンス情報取得要求を受信すると（ステップＳＳ１）、それを管理サーバ１０５に送信する（ステップＳＳ２）。それにより、ガイダンス情報取得要求の送信を中継する。
【００３１】
管理サーバ１０５は、サブシステムサーバ１０２を介してガイダンス情報取得要求を受信すると（ステップＳＭ１）、その要求中の医療行為名をキーにガイダンス情報管理ＤＢ２１４の検索を行うことにより、要求されたガイダンス情報の保存先を特定し、その保存先に保存されているガイダンス情報を読み出して送信する。また、その医療行為名、及び患者ＩＤをキーにしてガイダンス実施記録ＤＢ２１２の検索を行うことにより、レコードを抽出し、そのレコード中のガイダンス情報表示の値として１を格納する（以上、ステップＳＭ２）。
【００３２】
サブシステムサーバ１０２は、管理サーバ１０５からガイダンス情報を受信すると（ステップＳＳ３）、通信ネットワーク１０１を介してそれを端末装置１０４に送信する（ステップＳＳ４）。
端末装置１０４は、そのようにしてサブシステムサーバ１０２を介してガイダンス情報を受信すると（ステップＳＴ６）、それを配置した図８に示すようなガイダンス情報表示画面８２０を表示装置上に表示させる（ステップＳＴ７）。
【００３３】
その表示画面８２０上には、図８に示すように、行うべき説明を行ったことの記録を指示するための「説明完了登録」ボタン８２１が配置されている。それにより、行うべき説明を行った場合には、その記録を容易に指示できるようにさせている。
端末装置１０４は、ガイダンス情報表示画面８２０を表示させるとステップＳＴ８に移行して、「説明完了登録」ボタン８２１がクリック（選択）されたか否か判定する。そのボタン８２１を所持者がクリックしたような場合、判定はＹＥＳとなってステップＳＴ９に移行し、行うべき説明を行ったことの記録を行うための説明完了登録情報を管理サーバ１０５に送信する。一方、そうでない場合には、判定はＮＯとなって後述するステップＳＴ１２に移行する。その説明完了登録情報は、例えば「説明完了登録」ボタン８２１を所持者がクリックした日時、医療行為名、患者ＩＤを含むものである。医療行為名、患者ＩＤはオーダ情報を構成するデータとして管理サーバ１０５から送信されたものである。
【００３４】
サブシステムサーバ１０２は、端末装置１０４から説明完了登録情報を受信すると（ステップＳＳ５）、それを管理サーバ１０５に送信する（ステップＳＳ６）。それにより、その登録情報の送信を中継する。
管理サーバ１０５は、サブシステムサーバ１０２を介して説明完了登録情報を受信すると（ステップＳＭ３）、その登録情報中の医療行為名、及び患者ＩＤをキーにしてガイダンス実施記録ＤＢ２１２の検索を行い、データを格納する対象となるレコードを抽出する。抽出したレコードに、登録情報の送信元の端末装置１０４から特定される所持者をガイダンス実施者として、その実施者、登録情報中の日時から特定されるガイダンス実施日、及びガイダンス実施時刻を格納する。そのようにして、説明完了登録情報の受信に応じた処理を実行した結果を説明完了登録応答として端末装置１０４に送信する（以上、ステップＳＭ４）。その登録応答を送信することにより、行うべき説明を行ったことを記録したか否か通知する。
【００３５】
サブシステムサーバ１０２は、管理サーバ１０５から説明完了登録応答を受信すると（ステップＳＳ７）、通信ネットワーク１０１を介してそれを端末装置１０４に送信する（ステップＳＳ８）。
端末装置１０４は、そのようにしてサブシステムサーバ１０２を介して説明完了登録応答を受信すると（ステップＳＴ１０）、その登録応答により通知された内容を表示装置上に表示させる（ステップＳＴ１１）。その後は、図８に示すようなオーダ表示画面８１０を再度、表示装置上に表示させて、「実施入力」ボタン８１２へのクリックに対応するための処理を実行する（ステップＳＴ１２）。１オーダで指示された医療行為の実施を支援するための一連の処理は、そのボタン８１２へのクリック、或いは「戻る」ボタンへのクリックが行われた後に終了する。特には図示していないが、「実施入力」ボタン８１２がクリックされた場合には、端末装置１０４は、ステップＳＴ９〜ＳＴ１１と同様の処理、サブシステムサーバ１０２はステップＳＳ５〜ＳＳ８と同様の処理、管理サーバ１０５はステップＳＭ３、ＳＭ４と同様の処理をそれぞれ実行することとなる。
【００３６】
なお、本実施の形態では、行うべき説明を行ったことの記録、及び医療行為を実施したことの記録は、端末装置１０４のユーザである従事者に選択させる形で行うようにさせている。しかし、それらの記録は、無条件で従事者に行わせるようにしても良い。説明の記録については、映像、或いは音声の形で記録するようにしても良い。
【００３７】
ガイダンス情報は、端末装置１０４からの要求に応じて随時、提供するようにしているが、従事者が実施する医療行為が予め判っているような場合には、その医療行為に対応するガイダンス情報を予め提供することにより、端末装置１０４側で必要なガイダンス情報を随時、提示するようにしても良い。或いは複数のガイダンス情報を１グループにまとめて、グループ単位でガイダンス情報を提供するようにしても良い。
【００３８】
そのガイダンス情報は、文書として表示させるものであるが、映像、或いは音声の形で出力させるものであっても良い。そのようになものであった場合には、患者に映像、或いは音声により説明を自動的に行わせるようにしても良い。
上述したような管理サーバ１０５、或いは端末装置１０４の動作を実現させるようなプログラムは、ＣＤ−ＲＯＭ、ＤＶＤ、或いは光磁気ディスク等の記録媒体に記録させて配布しても良い。通信ネットワークや公衆網等の伝送媒体を介して、そのプログラムの一部、若しくは全部を配信するようにしても良い。そのようにした場合には、ユーザーはプログラムを取得してデータ処理装置にロードすることにより、そのデータ処理装置を用いて本発明を適用させた医療情報管理システム、或いは端末装置を実現させることができる。このことから、記録媒体は、プログラムを配信する装置がアクセスできるものであっても良い。
【図面の簡単な説明】
【００３９】
【図１】本実施の形態による医療情報管理システムを有する病院情報システムの構成を示す図である。
【図２】本実施の形態による医療情報管理システムを搭載した病院内情報管理サーバの機能構成を示す図である。
【図３】患者情報データベースのデータ構成を説明する図である。
【図４】ガイダンス実施記録データベースのデータ構成を説明する図である。
【図５】医療行為実施記録データベースのデータ構成を説明する図である。
【図６】ガイダンス情報管理データベースのデータ構成を説明する図である。
【図７】従事者が医療行為を実施する場合に、端末装置、サブシステムサーバ、及び病院内情報管理サーバがそれぞれ実行する処理の流れを示すフローチャートである。
【図８】端末装置の表示装置上に表示される画面、及びその推移を説明する図である。
【符号の説明】
【００４０】
１０１    通信ネットワーク
１０２    サブシステムサーバ
１０３    アクセスポイント
１０４    端末装置
１０５    病院内情報管理サーバ
２０１    通信部
２０２    記憶部
２０３    制御部
２１１    患者情報データベース
２１２    ガイダンス実施記録データベース
２１３    医療行為実施記録データベース
２１４    ガイダンス情報管理データベース
【図１】
2005173737.tif 000003
【図２】
2005173737.tif 000004
【図３】
2005173737.tif 000005
【図４】
2005173737.tif 000006
【図５】
2005173737.tif 000007
【図６】
2005173737.tif 000008
【図７】
2005173737.tif 000009
【図８】
2005173737.tif 000010